(57)【要約】【課題】必要事項の事前登録が不要であり、かつ受け付けた印刷要求ジョブデータに付加された印刷設定情報の適否を容易に判断する。【解決手段】登録印刷設定情報読出部２０８では、入力されたユーザー識別情報に基づいて、該当する登録印刷設定情報を読み出し、照合部２１２へ送出する。印刷データが入力された印刷実行制御部２０６では、印刷データから受付印刷設定情報を抽出して、照合部２１２へ送出する。照合部２１２では、それぞれの印刷設定情報を照合し、一致している場合は印刷実行制御部２０６へＯＫ信号を返信し、不一致の場合は印刷設定情報不一致通知実行部２１４へＮＧ信号を送出する。ＯＫ信号を受けた印刷実行制御部２０６は、前記印刷制御管理部６８を制御して、印刷を実行する。【選択図】図５
2010069790.tif 000002
【特許請求の範囲】
【請求項１】
受け付けた印刷要求ジョブデータに付加された印刷要求元を識別する識別情報と、前記識別情報特有の情報として予め登録され前記ジョブデータに関する印刷を実行するときに必要な印刷設定情報と、を相互に関連付けて記憶する記憶手段と、
印刷要求ジョブデータを受け付けた場合に、受け付けたジョブデータに付加された識別情報に基づいて、前記記憶手段に記憶された印刷設定情報の中から、当該識別情報と相互に関連付けられた印刷設定情報を読み出す読出手段と、
前記読出手段で読み出された登録済みの登録印刷設定情報と、前記受け付けた印刷要求ジョブデータに付加された受付印刷設定情報と、を照合する照合手段と、
前記照合手段による照合の結果、前記登録印刷設定情報と受付印刷設定情報とが一致した場合に、印刷処理の実行を指示する印刷処理実行指示手段と、
前記照合手段による照合の結果、前記登録印刷設定情報と受付印刷設定情報とが一致しない場合に、不一致である旨を報知する報知手段と、
を有する印刷装置。
【請求項２】
前記照合手段における不一致判定後、識別情報の印刷設定情報更新指示があった場合に、前記識別情報に関連付けて記憶されている印刷設定情報を、最新の印刷設定情報に更新する更新手段をさらに有する請求項１記載の印刷装置。
【請求項３】
受け付けた印刷要求ジョブデータに付加された印刷要求元を識別する識別情報と、前記識別情報特有の情報として予め登録され前記ジョブデータに関する印刷を実行するときに必要な印刷設定情報と、を相互に関連付けて記憶し、
印刷要求ジョブデータを受け付けた場合に、受け付けたジョブデータに付加された識別情報に基づいて、前記記憶された印刷設定情報の中から、当該識別情報と相互に関連付けられた印刷設定情報を読み出し、
前記読み出された登録済みの登録印刷設定情報と、前記受け付けた印刷要求ジョブデータに付加された受付印刷設定情報と、を照合し、
前記照合の結果、前記登録印刷設定情報と受付印刷設定情報とが一致した場合に、印刷処理の実行を指示し、
前記照合の結果、前記登録印刷設定情報と受付印刷設定情報とが一致しない場合に、不一致である旨を報知する、
ことをコンピュータに実行させる印刷管理制御プログラム。
【請求項４】
前記照合における不一致判定後、識別情報の印刷設定情報更新指示があった場合に、前記登録印刷設定情報を、最新の印刷設定情報に更新する請求項３記載の印刷管理制御プログラム。
【請求項５】
請求項１又は請求項２記載の印刷装置が、通信回線網を介して前記ジョブデータの送信元となる制御装置と接続されており、
前記報知手段が、前記登録印刷設定情報と受付印刷設定情報とが不一致である情報を、前記制御装置へ通知する印刷管理制御システム。
【発明の詳細な説明】
【技術分野】
【０００１】
本発明は、
【背景技術】
【０００２】
特許文献１には、ＰＣとプリンタとがネットワーク接続されているシステムで、ＰＣ側に操作者が設定ミスを犯しやすい印刷設定を登録しておき、該当するミスを発見したとき警告する。
【０００３】
この特許文献１では、ＰＣ側に予め各操作者に合わせた「印刷設定の情報」と「印刷ミスを犯しやすい設定」とを登録しておく必要があるものの、印刷時に印刷設定と比較してミス発見時に警告を促すことが可能である。
【特許文献１】特開２００７−５８４２８公報
【発明の開示】
【発明が解決しようとする課題】
【０００４】
本発明は、本構成を有しない場合に比べて、必要事項の事前登録が不要であり、かつ受け付けた印刷要求ジョブデータに付加された印刷設定情報の適否を容易に判断することができる印刷装置、印刷管理制御プログラム、印刷管理制御システムを得ることが目的である。
【課題を解決するための手段】
【０００５】
請求項１に記載の発明は、受け付けた印刷要求ジョブデータに付加された印刷要求元を識別する識別情報と、前記識別情報特有の情報として予め登録され前記ジョブデータに関する印刷を実行するときに必要な印刷設定情報と、を相互に関連付けて記憶する記憶手段と、印刷要求ジョブデータを受け付けた場合に、受け付けたジョブデータに付加された識別情報に基づいて、前記記憶手段に記憶された印刷設定情報の中から、当該識別情報と相互に関連付けられた印刷設定情報を読み出す読出手段と、前記読出手段で読み出された登録済みの登録印刷設定情報と、前記受け付けた印刷要求ジョブデータに付加された受付印刷設定情報と、を照合する照合手段と、前記照合手段による照合の結果、前記登録印刷設定情報と受付印刷設定情報とが一致した場合に、印刷処理の実行を指示する印刷処理実行指示手段と、前記照合手段による照合の結果、前記登録印刷設定情報と受付印刷設定情報とが一致しない場合に、不一致である旨を報知する報知手段と、を有している。
【０００６】
請求項２に記載の発明は、前記請求項１に記載の発明において、前記照合手段における不一致判定後、識別情報の印刷設定情報更新指示があった場合に、前記識別情報に関連付けて記憶されている印刷設定情報を、最新の印刷設定情報に更新する更新手段をさらに有する。
【０００７】
請求項３に記載の発明は、受け付けた印刷要求ジョブデータに付加された印刷要求元を識別する識別情報と、前記識別情報特有の情報として予め登録され前記ジョブデータに関する印刷を実行するときに必要な印刷設定情報と、を相互に関連付けて記憶し、印刷要求ジョブデータを受け付けた場合に、受け付けたジョブデータに付加された識別情報に基づいて、前記記憶された印刷設定情報の中から、当該識別情報と相互に関連付けられた印刷設定情報を読み出し、前記読み出された登録済みの登録印刷設定情報と、前記受け付けた印刷要求ジョブデータに付加された受付印刷設定情報と、を照合し、前記照合の結果、前記登録印刷設定情報と受付印刷設定情報とが一致した場合に、印刷処理の実行を指示し、
前記照合の結果、前記登録印刷設定情報と受付印刷設定情報とが一致しない場合に、不一致である旨を報知する、ことをコンピュータに実行させる印刷管理制御プログラムである。
【０００８】
請求項４に記載の発明は、前記請求項３に記載の発明において、前記照合における不一致判定後、識別情報の印刷設定情報更新指示があった場合に、前記登録印刷設定情報を、最新の印刷設定情報に更新する。
【０００９】
請求項５に記載の発明は、請求項１又は請求項２記載の印刷装置が、通信回線網を介して前記ジョブデータの送信元となる制御装置と接続されており、前記報知手段が、前記登録印刷設定情報と受付印刷設定情報とが不一致である情報を、前記制御装置へ通知する印刷管理制御システムである。
【発明の効果】
【００１０】
請求項１記載の発明によれば、本構成を有しない場合に比べて、必要事項の事前登録が不要であり、かつ受け付けた印刷要求ジョブデータに付加された印刷設定情報の適否を容易に判断することができる。
【００１１】
請求項２に記載の発明によれば、本構成を有しない場合に比べて、印刷設定情報の適否を判定精度を高めることができる。
【００１２】
請求項３記載の発明によれば、本構成を有しない場合に比べて、必要事項の事前登録が不要であり、かつ受け付けた印刷要求ジョブデータに付加された印刷設定情報の適否を容易に判断することができる。
【００１３】
請求項４に記載の発明によれば、本構成を有しない場合に比べて、印刷設定情報の適否を判定精度を高めることができる。
【００１４】
請求項５記載の発明によれば、本構成を有しない場合に比べて、必要事項の事前登録が不要であり、かつ受け付けた印刷要求ジョブデータに付加された印刷設定情報の適否を容易に判断することができ、かつ、印刷要求元へ迅速に通知することができる。
【発明を実施するための最良の形態】
【００１５】
図１には、本実施の形態に係る印刷システムが示されている。
【００１６】
印刷システムは、印刷装置１１０と、当該印刷装置１１０へ主として画像データを送信して印刷を指示する制御装置（ＰＣ）１０と、を備えている。印刷装置１１０と制御装置１０とは、通信回線網１２を介して互いに信号の送受信が可能に接続されている。
【００１７】
通信回線網１２は、ＬＡＮ（ローカル・エリア・ネットワーク）、ＷＡＮ（ワイド・エリア・ネットワーク）や、インターネットであってもよい。
【００１８】
なお、図１では、必要最小限の装備として通信回線網１２に１台の印刷装置１１０と、１台の制御装置１０のみを図示したが、それぞれ複数台接続されていてもよいし、サーバー等、画像処理（印刷処理）データを一括管理するデータベースが接続されていてもよい。
【００１９】
（制御装置１０の構成）
図１に示される如く、制御装置１０は、制御装置本体１０Ａに対して、入力系としてキーボード１０Ｂ、マウス１０Ｃが接続され、出力系としてモニタ１０Ｄが接続されている。
【００２０】
図２に示される如く、制御装置本体１０Ａは、ＣＰＵ１４、ＲＡＭ１６、ＲＯＭ１８、Ｉ／Ｏ（入出力部）２０、及びこれらを接続するデータバスやコントロールバス等のバス２２を有している。
【００２１】
Ｉ／Ｏ２０には、前記キーボード１０Ｂ、マウス１０Ｃ、モニタ１０Ｄがそれぞれ接続されている。また、このＩ／Ｏ２０には、少なくともＲＡＭ１８よりも記憶容量が大きい大容量記録媒体であるハードディスク（ＨＤＤ）２４が接続され、複数のジョブデータ（印刷ジョブ等）が記憶できるようになっている。また、Ｉ／Ｏ２０は、Ｉ／Ｆ２６を介して通信回線網１２に接続されている。
【００２２】
制御装置１０では、この通信回線網１２を介して、例えば、所定のアプリケーションプログラムを立ち上げることで作成された、印刷するべき画像データを含む印刷ジョブを印刷装置１１０へ送信するようになっている。
【００２３】
（印刷装置１１０の構成）
図３は、本発明の本実施の形態に係る印刷装置１１０の構成を示す図である。
【００２４】
印刷装置１１０は、４色のトナー（イエロー（Ｙ）、マゼンタ（Ｍ）、シアン（Ｃ）、ブラック（Ｋ））によるフルカラー画像形成（印刷）を行うプロセスカートリッジ１２０を各色に対応して上下方向に４つ配列している。
【００２５】
各トナーＹ、Ｍ、Ｃ、Ｋは、特に製造方法により限定されるものではなく、各種のトナーが使用可能である。
【００２６】
ここで、プロセスカートリッジ１２０は、感光体ドラム１１６と、感光体ドラム１１６の周囲に配設された帯電ロール１１８、イレーズランプ１２２、及び感光体ドラム１１６に作像される静電潜像に対して、各色のトナーの現像を行う現像装置１００（１００Ａ、１００Ｂ、１００Ｃ、１００Ｄ）などで構成されている。
【００２７】
一方、印刷装置１１０の下部には、記録用紙Ｐが収納された給紙カセット１２４が設けられている。給紙カセット１２４の近傍には、記録用紙Ｐを所定のタイミングで送り出すピックアップロール１２６が設けられている。
【００２８】
ピックアップロール１２６は、給紙カセット１２４から記録用紙Ｐを送り出し、搬送ロール１２８、用紙搬送路１３２及びレジストレーションロール１３０を介して、記録用紙Ｐをプロセスカートリッジ１２０に搬送する搬送装置１４４へ搬送する。
【００２９】
プロセスカートリッジ１２０は、用紙搬送路１３２の上流側（紙面の下側）から前述のＹ、Ｍ、Ｃ、Ｋの色の順に配設されている。プロセスカートリッジ１２０の図３左側には、プロセスカートリッジ１２０に走査光を照射する光走査装置１１２が配設されている。
【００３０】
光走査装置１１２には、主として半導体レーザー（図示省略）とポリゴンミラー１２３が設けられており、半導体レーザからの光は、ポリゴンミラー１２３で偏向走査され、感光体ドラム１１６に照射される。これにより、感光体ドラム１１６に、画像情報に応じた静電潜像が形成される。
【００３１】
搬送装置１４４は、印刷装置１１０の側壁１１０Ａに沿って設けられた一対の張架ロール１４６、１４８と、この張架ロール１４６、１４８に巻き掛けられた搬送ベルト１５０と、を備えている。
【００３２】
この張架ロール１４６、１４８の少なくとも一方は、搬送ベルト１５０の蛇行を収束する機構の一部として機能する。
【００３３】
例えば、アクティブに制御する場合には、張架ロール１４６、１４８何れか一方又は両方の回転軸を傾斜させ、搬送ベルトの軸線方向の張架度合いを変更し、搬送ベルト１５０を駆動方向と交差する方向に移動し蛇行を収束させる。
【００３４】
また、例えば、パッシブに制御する場合には、張架ロール１４６、１４８の軸線方向端部に蛇行して接触する搬送ベルトを押し返すためのコロ部材等を取り付けたり、張架ロール１４６、１４８自体を所謂クラウン型にする等して、搬送ベルト１５０の蛇行を収束させる。
【００３５】
張架ロール１４６の近傍には、吸着ロール１５４が配設されており、この吸着ロール１５４にバイアス電圧が印加されることによって、搬送ベルト１５０に記録用紙Ｐが静電的に吸着される。張架ロール１４８は、図示しないモータによって回転され、搬送ベルト１５０を側壁１１０Ａに沿って移動させる。
【００３６】
搬送ベルト１５０の内周側であって各色の感光体ドラム１１６に対向する位置には、それぞれ転写ロール１５２が配設されている。各々の転写ロール１５２は、感光体ドラム１１６上に形成されたトナー像Ｙ、Ｍ、Ｃ、Ｋを、搬送ベルト１５０によって搬送されている記録用紙Ｐに順次転写する。
【００３７】
定着装置１５６は、記録用紙Ｐに転写されたトナー像を定着する。排出ロール１５８は、トナー像が定着された記録用紙Ｐを排出トレイ１６０へ排出する。
【００３８】
また、制御ユニット１６６は、本装置全体の制御を行うものであり、例えば外部から入力された画像データに基づいて、露光装置１１２や現像装置１００を制御する。
【００３９】
なお、上記図３で説明した印刷装置１１０は、印刷装置の一例であり、本実施の形態に適用可能な印刷装置は、この印刷装置１１０の構成に限定されるものではない。例えば、図３に示す静電潜像方式（タンデム型）の変形例としては、現像器４サイクル方式であってもよいし、熱転写プリンタ、インクジェットプリンタ等、他のプリント方式であってもよい。
【００４０】
図４に示される如く、制御ユニット１６６は、メインコントロール部５０を含んでいる。メインコントロール部５０は、ＣＰＵ５２、ＲＡＭ５４、ＲＯＭ５６、Ｉ／Ｏ（入出力部）５８、及びこれらを接続するデータバスやコントロールバス等のバス６０を有している。
【００４１】
Ｉ／Ｏ５８には、前記印刷装置１１０における搬送装置、現像装置、露光装置、光走査装置２０等の画像形成部（印刷部）を管理し、制御するための印刷制御管理部６８が接続されている。印刷制御管理部６８は、Ｉ／Ｏ５８ではなく、直接バス６０に接続された構成であってもよい。
【００４２】
また、Ｉ／Ｏ５８には、ＵＩ（ユーザ・インターフェイス）６２が接続されている。ＵＩ６２は、ユーザーからの入力指示を受け付け、かつユーザーへ画像処理に関する情報を報知する役目を有している。さらに、Ｉ／Ｏ５８には、ハードディスク６４が接続されている。また、Ｉ／Ｏ５８は、Ｉ／Ｆ６６を介して通信回線網１２に接続されている。
【００４３】
上記構成の印刷システムにおいて、本実施の形態では、印刷装置１１０に対して印刷要求を行なうユーザー（制御装置１０の利用者等）が、基本的に印刷設定情報をあまり変更しないことに着目し、印刷装置１１０側で、ユーザーを識別すると共に、識別したユーザーの印刷設定情報履歴（本実施の形態では前回の印刷要求時の印刷設定情報）に基づいて、印刷設定情報の適否を判断するようにした。
【００４４】
印刷設定情報とは、例えば、BINDING（綴じ方向「短辺／長辺」）、COLLATE（丁合「ページ単位／部単位」）、COPIES（コピー数「ページ単位／部単位」）、DUPLEX（両面／片面印刷）、PMODE（画像処理方位「縦長／横長」）、FACE-UP（画像処理結果の表紙面方向「表面上／表面下」）、FEED（用紙フィード「用紙給紙機構選択」）、N-UP（１ページＮ分割印刷）等の情報を言い、実際に印刷されるデータに対する用紙への印刷形態を特定するものである。
【００４５】
図５は、印刷装置１１０に搭載された制御ユニット１６６のメインコトール部５０で実行される、印刷設定情報の照合に基づく印刷管理制御、並びに、印刷設定情報の照合に関わる制御装置１０の制御装置本体１０Ａでの印刷可否判別制御を機能的に示したブロック図である。なお、このブロック図は、機能別に分類したものであり、ハード構成を限定するものではない。
【００４６】
（印刷装置１１０での印刷管理制御）
Ｉ／Ｆ６６には、入力情報解析部２００が接続されている。入力情報解析部２００には、印刷ジョブデータ、確認メッセージ回答を含む情報が入力され、ここでは、印刷ジョブデータに関する情報と、確認メッセージ回答に関する情報とに分類する。
【００４７】
入力情報解析部２００は、印刷ジョブデータ振分部２０２と、確認メッセージ回答情報解析部２０４に接続されている。
【００４８】
入力情報解析部２００において、入力情報が印刷ジョブデータであると認識されると、この印刷ジョブデータは、印刷ジョブデータ振分部２０２へ送出される。印刷ジョブデータは、ユーザー識別情報（ユーザーＩＤ）と、印刷データ（実際に印刷されるデータと印刷するために必要な印刷設定情報）とを含んでいる。
【００４９】
印刷ジョブデータ振分部２０２は、印刷実行制御部２０６及び登録印刷設定情報読出部２０８に接続されており、印刷データは印刷実行制御部２０６へ送出し、ユーザー識別情報は登録印刷設定情報読出部２０８へ送出する。
【００５０】
登録印刷設定情報読出部２０８には、ユーザー識別情報−登録印刷設定情報テーブルメモリ２１０が接続されている。
【００５１】
このユーザー識別情報−登録印刷設定情報テーブルメモリ２１０は、図６に示される如く、複数のユーザー識別情報（ユーザーＩＤ）と、複数の印刷設定情報（登録印刷設定情報）とが互いに関連付けられて格納されている（ユーザー識別情報−登録印刷設定情報テーブル２１０Ｔ）。ここで、登録印刷設定情報読出部２０８では、入力されたユーザー識別情報に基づいて、該当する登録印刷設定情報を読み出し、照合部２１２へ送出するようになっている。
【００５２】
一方、印刷データが入力された印刷実行制御部２０６では、印刷データから印刷設定情報（受付印刷設定情報）を抽出して、照合部２１２へ送出するようになっている。
【００５３】
この結果、照合部２１２には、ユーザー識別情報−登録印刷設定情報テーブルメモリ２１０に該当する登録印刷設定情報がある場合は、登録印刷設定情報と受付印刷設定情報とが揃うことになる（照合モード）。
【００５４】
この照合モードの場合、照合部２１２では、それぞれの印刷設定情報を照合し、一致している場合は印刷実行制御部２０６へＯＫ信号を返信し、不一致の場合は印刷設定情報不一致通知実行部２１４へＮＧ信号を送出する。
【００５５】
ＯＫ信号を受けた印刷実行制御部２０６は、前記印刷制御管理部６８を制御して、印刷を実行する。
【００５６】
一方、印刷設定情報不一致通知実行部２１４がＮＧ信号を受けると、この印刷設定情報不一致通知実行部２１４は、Ｉ／Ｆ６６を介して、印刷要求した制御装置１０へ印刷設定情報が不一致であったことを通知するようになっている。
【００５７】
また、ユーザー識別情報−登録印刷設定情報テーブルメモリ２１０に該当する登録印刷設定情報がない場合は、受付印刷設定情報のみが存在することになる（新規登録モード）。
【００５８】
この新規登録モードの場合、照合部２１２では、新規登録実行部２１３に対して、新規登録を指示する。新規登録実行部２１３では、今回受付けた印刷ジョブに付加されたユーザー識別情報（ユーザーＩＤ）と、印刷設定情報とを関連付けて前記ユーザー識別情報−登録印刷設定情報テーブルメモリ２１０のユーザー識別情報−登録印刷設定情報テーブル２１０Ｔ（図６参照）に新規登録を行なう。
【００５９】
照合部２１２は、新規登録実行部２１３から新規登録の完了通知を受けると、ＯＫ信号を出力する。
【００６０】
ここで、上記ＮＧ信号に基づく、制御装置１０への不一致通知の結果、入力情報解析部２００には、上記印刷設定情報の不一致通知に対する回答が確認メッセージ回答情報として入力されることになる。
【００６１】
確認メッセージ回答情報は、確認メッセージ回答情報解析部２０４へ入力され確認メッセージ回答の内容が解析される（印刷続行、設定変更、キャンセル）。
【００６２】
「印刷続行」とは、今回の印刷設定情報（受付印刷設定情報）に基づいて印刷を実行すると共に、ユーザー識別情報−登録印刷設定情報テーブルメモリ２１０の更新は無し、という回答である。
【００６３】
「設定変更」とは、今回の印刷設定情報（受付印刷設定情報）に基づいて印刷を実行すると共に、ユーザー識別情報−登録印刷設定情報テーブルメモリ２１０の更新を行なう（受付印刷設定情報の上書き）、という回答である。
【００６４】
「キャンセル」とは、印刷自体を中止する、という回答である。
【００６５】
確認メッセージ回答情報解析部２０４での解析の結果、回答が「印刷続行」又は「キャンセル」の場合には、前記印刷実行制御部２０６に対してその旨を通知する。これにより、印刷実行制御部２０６では、回答に応じた処理がなされる。
【００６６】
一方、確認メッセージ回答情報解析部２０４での解析の結果、回答が「設定変更」の場合には、更新実行部２１６に対してその旨を通知する。更新実行部２１６は、前記ユーザー識別情報−登録印刷設定情報テーブルメモリ２１０に接続されており、印刷設定情報を更新処理するようになっている。また、更新完了の通知を受けると、前記印刷実行制御部２０６に対して印刷実行を指示するようになっている。
【００６７】
（制御装置１０での確認メッセージ表示制御及び回答制御）
Ｉ／Ｆ２６には、入力情報解析部２２０が接続されている。この入力情報解析部２２０において、印刷設定情報不一致通知を認識すると、その旨を確認メッセージウィンドウ表示実行部２２２へ送出する。確認メッセージウィンドウ表示実行部２２２では、モニタ１０Ｄを制御して図７に示す確認メッセージウィンドウ２２２Ｗを表示する。
【００６８】
図７に示される如く、確認メッセージウィンドウ２２２Ｗには、「印刷設定項目「○○△□」、「○○○×△」が前回の印刷設定から変更されています！！」というメッセージ画像２２４と、「印刷続行」スイッチ画像２２６と、「設定変更」スイッチ画像２２８と、「キャンセル」スイッチ画像２３０と、各スイッチ画像の詳細情報画像２３２と、が表示されており、例えば、キーボード１０Ｂやマウス１０Ｃを意志確定操作（マウス１０Ｃであれば、図示しないポインタを何れかのスイッチ画像に重ねて、ダブルクリック操作等）することで、ユーザーの意志を情報として認識するようになっている。
【００６９】
上記意志確定操作は、図５に示される如く、確認メッセージ回答情報認識部２３４に入力され、ユーザーの意志を確認メッセージ回答情報として認識し、確認メッセージ回答情報出力部２３６へ送出する。
【００７０】
確認メッセージ回答情報出力部２３６では、Ｉ／Ｆ２６を介して印刷装置１１０へ確認メッセージ回答情報を送出する。
【００７１】
以下に本実施の形態の作用を図８のフローチャートに従い説明する。なお、このフローチャートは、印刷装置１１０での制御に言及したものである。言い換えれば、制御装置１０での、印刷ジョブの要求、確認メッセージの表示、確認メッセージの表示後に実行されるユーザーの意志に基づく確認メッセージ回答についての制御は省略する。
【００７２】
ステップ３００では、信号を受信したか否かが判断され、否定判定されるとこのルーチンは終了する。また、ステップ３００で肯定判定されると、ステップ３０２へ移行して、受信した信号の内容を判別する。本実施の形態では、この判別を印刷ジョブデータと、確認メッセージ回答と、その他に分類する。その他には、印刷装置１１０に対する印刷時のデフォルト設定変更、メンテナンス指示、印刷履歴要求等、本実施の形態とは直接関係ない情報等が含まれる。
【００７３】
ステップ３０２で、受信内容が「その他」である場合には、ステップ３０４へ移行して当該「その他」の項目に対応する処理（その他処理）を実行して、このルーチンは終了する。
【００７４】
また、ステップ３０２で、受信内容が「印刷ジョブデータ」である場合は、ステップ３０６へ移行する。ステップ３０６では、印刷ジョブデータを解析して、ユーザー識別情報（ユーザーＩＤ）と印刷データとに分類する。なお、印刷データとは、実際に印刷される画像データと、画像データをどのように印刷するかを記述した印刷設定情報（属性）を含む。
【００７５】
次のステップ３０８では、ユーザー識別情報（ユーザーＩＤ）に基づいて、ユーザー識別情報−登録印刷設定情報テーブルメモリ２１０に記憶されたユーザー識別情報−登録印刷設定情報テーブル２１０Ｔ（図６参照）から登録印刷設定情報を読み出し、ステップ３１０へ移行する。
【００７６】
ステップ３１０では、前記ステップ３０８において登録情報が読み出されたか否か、すなわち登録印刷設定情報の有無を判定し、否定判定されるとステップ３１１へ移行して、今回のユーザー識別譲歩（ユーザーＩＤ）と、受付印刷設定情報とをユーザー識別情報−登録印刷設定情報テーブルメモリ２１０に記憶されたユーザー識別情報−登録印刷設定情報テーブル２１０Ｔ（図６参照）に新規登録し、ステップ３１６へ移行する。
【００７７】
また、ステップ３１０で肯定判定されるとステップ３１２へ移行して読み出された登録印刷設定情報と、印刷データに付加された受付印刷設定情報とを照合する。
【００７８】
次のステップ３１４では、前記照合の結果、情報が一致した場合には、ステップ３１６へ移行する。
【００７９】
ステップ３１６では、印刷ジョブの画像データの印刷設定情報に基づく印刷処理を実行し、このルーチンは終了する。
【００８０】
また、ステップ３１４で否定判定、すなわち、登録印刷設定情報と受付印刷設定情報とが不一致の場合は、ステップ３１８へ移行して情報不一致通知処理を実行し、このルーチンは終了する。情報不一致通知処理とは、図５の印刷設定情報不一致通知実行部２１４において、照合部２１２からＮＧ信号が入力されることで実行されるものであり、Ｉ／Ｆ６６を介して、印刷ジョブを送信した送信元の制御装置１０に対して、情報が不一致である旨を通知する。
【００８１】
この通知を受けた制御装置１０では、モニタ１０Ｄに図７に示す確認メッセージウィンドウ２２２Ｗを表示する。
【００８２】
確認メッセージウィンドウ２２２Ｗのメッセージ画像２２４と詳細情報画像２３２を見たユーザーは、「印刷続行」スイッチ画像２２６、「設定変更」スイッチ画像２２８、「キャンセル」スイッチ画像２３０、の何れかのスイッチ画像を対象として意志確定操作（マウス１０Ｃであれば、図示しないポインタを何れかのスイッチ画像に重ねて、ダブルクリック操作等）する。
【００８３】
この操作により、ユーザーの意志が情報が印刷装置１１０へ確認メッセージ回答情報として送信される。このとき、図８のステップ３０２において、受信内容が「確認メッセージ回答」であると判定されることになる。
【００８４】
ステップ３０２で、受信内奥が「確認メッセージ回答」である場合は、ステップ３２０へ移行する。
【００８５】
ステップ３２０では、回答内容（続行、設定変更、キャンセル）を判定する。ステップ３２０で回答内容が「続行（印刷続行）」と判定されると、ステップ３２０からステップ３１６へ移行して、印刷データに付加された受付印刷設定情報に基づいて印刷処理が実行される。なお、この場合は、ユーザー識別情報−登録印刷設定情報テーブルメモリ２１０に記憶されたユーザー識別情報−登録印刷設定情報テーブル２１０Ｔ（図６参照）の更新はない。
【００８６】
また、ステップ３２０で回答内容が「設定変更」と判定されると、ステップ３２０からステップ３２２へ移行する。ステップ３２２では、ユーザー識別情報−登録印刷設定情報テーブルメモリ２１０に記憶されたユーザー識別情報−登録印刷設定情報テーブル２１０Ｔ（図６参照）を更新する。すなわち、登録印刷設定情報を、今回の受付印刷設定情報に書き替えて、ステップ３１６へ移行し、印刷処理を実行する。すなわち、この印刷処理において、印刷ジョブに付加された受付印刷設定情報に基づいて印刷処理が実行される。
【００８７】
次に、ステップ３２０で回答内容が「キャンセル」と判定されると、ユーザーが制御装置１０の操作において、印刷設定を間違えた可能性が高く、再設定することになるため、ステップ３２４へ移行して印刷中止処理を実行し、このルーチンは終了する。
【００８８】
なお、本実施の形態では、登録印刷設定情報と受付印刷設定情報とが不一致の場合、制御装置１０へ不一致である旨を通知して、その回答があるまで待機するようにしたが、印刷装置１０を有効利用（複数ユーザーの共有等）する場合、所定時間待っても回答がない場合、ユーザーが離席して印刷装置１１０へ向かっている可能性が高いので、受付印刷設定情報又は登録印刷設定情報の何れか（デフォルトで決めておけばよい）で印刷を実行するようにしてもよい。
【００８９】
また、図７に示す確認メッセージウィンドウ２２２Ｗの回答内容のスッチ画像に「登録印刷設定情報で印刷」という項目を付加してもよい。
【図面の簡単な説明】
【００９０】
【図１】本実施の形態に係る印刷システムの概略構成図である。
【図２】本実施の形態に係る制御装置のハード構成を示すブロック図である。
【図３】本実施の形態に係る印刷装置の概略構成図である。
【図４】本実施の形態に係る印刷装置の制御ユニットのハード構成を示すブロック図である。
【図５】本実施の形態に係る印刷装置の制御ユニットで実行される印刷管理制御の機能ブロック図である。
【図６】印刷管理制御におけるユーザー識別情報−登録印刷設定情報テーブルメモリに記憶されたユーザー識別情報−登録印刷設定情報テーブルの概念図である。
【図７】制御装置のモニタに表示される確認メッセージウィンドウ２２２Ｗの正面図である。
【図８】本実施の形態に係る印刷装置の制御ユニットで実行される印刷管理制御の流れを示すフローチャートである。
【符号の説明】
【００９１】
１０    制御装置
１０Ａ    制御装置本体
１０Ｂ    キーボード
１０Ｃ    マウス
１０Ｄ    モニタ
１２    通信回線網
１４    ＣＰＵ
１６    ＲＡＭ
１８    ＲＯＭ
２０    Ｉ／Ｏ
２２    バス
２４    ハードディスク
２６    Ｉ／Ｆ
５０    メインコントロール部
５２    ＣＰＵ
５４    ＲＡＭ
５６    ＲＯＭ
５８    Ｉ／Ｏ
６０    バス
６２    ＵＩ
６４    ハードディスク
６６    Ｉ／Ｆ
１１０    印刷装置
１６６    制御ユニット
２００    入力情報解析部
２０２    印刷ジョブデータ振分部
２０４    確認メッセージ回答情報解析部
２０６    印刷実行制御部（印刷処理実行指示手段）
２０８    登録印刷設定情報読出部（読出手段）
２１０    ユーザー識別情報−登録印刷設定情報テーブルメモリ（記憶手段）
２１０Ｔ    ユーザー識別情報−登録印刷設定情報テーブル
２１２    照合部（照合手段）
２１４    印刷設定情報不一致通知実行部（報知手段）
２１３    新規登録実行部
２１６    更新実行部
２２０    入力情報解析部
２２２    確認メッセージウィンドウ表示実行部
２２２Ｗ    確認メッセージウィンドウ
２２４    メッセージ画像
２２６    「印刷続行」スイッチ画像
２２８    「設定変更」スイッチ画像
２３０    「キャンセル」スイッチ画像
２３２    詳細情報画像
２３４    確認メッセージ回答情報認識部
２３６    確認メッセージ回答情報出力部
【図１】
2010069790.tif 000003
【図２】
2010069790.tif 000004
【図３】
2010069790.tif 000005
【図４】
2010069790.tif 000006
【図５】
2010069790.tif 000007
【図６】
2010069790.tif 000008
【図７】
2010069790.tif 000009
【図８】
2010069790.tif 000010